(57)【要約】      （修正有）【課題】自動設定機能をネットワーク環境の変化によらず正しく機能させられる電話システムを提供する。【解決手段】電話システムは、サーバユニットと、電話端末と、アドレス割り当てサーバとを備える。サーバユニットは、電話端末からの接続要求を処理する接続処理部と、接続要求元の電話端末に与えられた識別情報に対応する設定情報を当該接続要求元の電話端末に送信する送信部とを備える。アドレス割り当てサーバは、複数の電話端末を組み分けしたグループごとに、接続すべきサーバユニットのアドレス情報を対応付けたグループデータと、割り当て要求の送出元の電話端末にグループデータを返送する送信部とを備える。電話端末は、返送されたグループデータから自らに対応するグループおよび接続すべきサーバユニットのアドレス情報を抽出する抽出部と、抽出した情報を記憶する記憶部と、サーバユニットに接続を要求して設定情報を取得する要求部とを備える。【選択図】図７
2013135380.tif 000002
【特許請求の範囲】
【請求項１】
複数のサーバユニットと、
前記複数のサーバユニットのいずれかに接続する複数の電話端末と、
前記複数の電話端末からの割り当て要求に応じてアドレス情報を割り当てるアドレス割り当てサーバとを具備し、
前記サーバユニットの各々は、
前記電話端末からの接続要求を処理する接続処理部と、
接続要求元の電話端末に与えられた識別情報に対応する設定情報を当該接続要求元の電話端末に送信する送信部とを備え、
前記アドレス割り当てサーバは、
前記複数の電話端末を組み分けしたグループごとに、接続すべきサーバユニットのアドレス情報を対応付けたグループデータと、
前記割り当て要求の送出元の電話端末に前記グループデータを返送する送信部とを備え、
前記電話端末の各々は、
前記返送されたグループデータを受信する受信部と、
前記受信したグループデータから、自らに対応するグループおよび接続すべきサーバユニットのアドレス情報を抽出する抽出部と、
前記抽出した情報を記憶する記憶部と、
前記サーバユニットに接続を要求して前記設定情報を取得する要求部とを備える、電話システム。
【請求項２】
前記グループデータは、仮想的専用網の設定の有無を前記グループごとに対応付ける項目を含む、請求項１に記載の電話システム。
【請求項３】
前記仮想的専用網はＶＬＡＮ（Virtual Local Area Network）である、請求項２に記載の電話システム。
【請求項４】
複数のサーバユニットと、前記複数のサーバユニットのいずれかに接続する複数の電話端末とを具備する電話システムに用いられ、前記複数の電話端末からの割り当て要求に応じてアドレス情報を割り当てるアドレス割り当てサーバにおいて、
前記複数の電話端末を組み分けしたグループごとに、接続すべきサーバユニットのアドレス情報を対応付けたグループデータと、
前記割り当て要求の送出元の電話端末に前記グループデータを返送する送信部とを備える、アドレス割り当てサーバ。
【請求項５】
前記グループデータは、仮想的専用網の設定の有無を前記グループごとに対応付ける項目を含む、請求項４に記載のアドレス割り当てサーバ。
【請求項６】
前記仮想的専用網はＶＬＡＮ（Virtual Local Area Network）である、請求項５に記載のアドレス割り当てサーバ。
【請求項７】
複数のサーバユニットと、割り当て要求に応じてアドレス情報を割り当てるアドレス割り当てサーバとを具備する電話システムに用いられる電話端末において、
前記割り当て要求に応じて前記アドレス割り当てサーバから返送されたグループデータを受信する受信部と、
前記受信したグループデータから、自らに対応するグループおよび接続すべきサーバユニットのアドレス情報を抽出する抽出部と、
前記抽出した情報を記憶する記憶部と、
前記サーバユニットに接続を要求して前記設定情報を取得する要求部とを備える、電話端末。
【請求項８】
複数のサーバユニットと、前記複数のサーバユニットのいずれかに接続する複数の電話端末と、前記複数の電話端末からの割り当て要求に応じてアドレス情報を割り当てるアドレス割り当てサーバとを具備する電話システムにおける設定方法であって、
前記サーバユニットが、前記電話端末からの接続要求を処理し、
前記サーバユニットが、接続要求元の電話端末に与えられた識別情報に対応する設定情報を当該接続要求元の電話端末に送信し、
前記複数の電話端末を組み分けしたグループごとに、接続すべきサーバユニットのアドレス情報を対応付けたグループデータを、前記アドレス割り当てサーバが、前記割り当て要求の送出元の電話端末に返送し、
前記電話端末が、前記返送されたグループデータを受信し、
前記電話端末が、前記受信したグループデータから、自らに対応するグループおよび接続すべきサーバユニットのアドレス情報を抽出し、
前記電話端末が、前記抽出した情報を記憶し、
前記電話端末が、前記サーバユニットに接続を要求して前記設定情報を取得する、設定方法。
【請求項９】
前記グループデータは、仮想的専用網の設定の有無を前記グループごとに対応付ける項目を含む、請求項８に記載の設定方法。
【請求項１０】
前記仮想的専用網はＶＬＡＮ（Virtual Local Area Network）である、請求項９に記載の設定方法。
【発明の詳細な説明】
【技術分野】
【０００１】
本発明の実施形態は、自動設定機能を備える電話システムとそのアドレス割り当てサーバ、電話端末、および設定方法に関する。
【背景技術】
【０００２】
Internet Protocol（ＩＰ）ネットワークを利用する近年の電話システムは多様な機能を備える。一つのＩＰ電話端末を複数のユーザで共有できるようにする機能がある。つまり異なる内線番号（Domestic Number：ＤＮ）でログインすれば、同じＩＰ電話端末を、違うユーザの専用端末として使用することができる。このように一つのＩＰ電話端末を複数のユーザでシェアできる機能はユーザモビリティと称して知られている。
【０００３】
一方、ＩＰ電話端末の運用を開始する前に、そのＩＰ電話端末への種々の設定を行う必要がある。近年ではこのような設定作業を自動化してユーザの便宜を図ったシステムが提案されている。この種の自動設定機能はオートコンフィグと称されることもある。  
オートコンフィグ機能は、例えばＩＰ電話端末をＩＰネットワークに接続した際にサーバから種々の設定情報をＩＰ電話端末にダウンロードし、内部メモリ（Flash-ROMなど）に記憶させる。この種の設定情報はＤＮごとに専用に用意される。以下、ＤＮごとの設定情報をＤＮ設定データと総称する。
【０００４】
ＤＮ設定データを内部メモリに記憶しておくことで、電源が入っていない状態や、システムに未接続の状態からＩＰ電話端末をサーバユニットに再接続する際に、内部メモリのＤＮ設定データを読み出して、もとのＤＮ設定データで再接続することができる。
【先行技術文献】
【特許文献】
【０００５】
【特許文献１】特許第４４５４５３９号公報
【特許文献２】特開２００８−２９４８８０号公報
【発明の概要】
【発明が解決しようとする課題】
【０００６】
ところで、ＩＰ電話端末の稼動する環境が変更されることがある。例えばＩＰ電話端末が移動したり、接続先のネットワークにおけるデバイスがバージョンアップされたりした場合などには、ＩＰ電話端末の稼動するネットワーク環境も変わり得る。これに伴って既存のシステムでは以下のような不便さを生じることがある。
【０００７】
ＩＰ電話端末を移動させるには、その前にＩＰ電話端末を初期リセットする必要がある。初期リセットは、例えば呼制御サーバなどのサーバユニットから管理者がコマンドを投入するかたちで実施される。この手順を忘れると、管理者はＩＰ電話端末が設置されている場所に行って１台ずつ個別に端末を初期リセットしなくてはならなくなる。このように作業の順番を逸脱するとユーザの手間が倍増する。
【０００８】
目的は、自動設定機能をネットワーク環境の変化によらず正しく機能させられるようにし、これにより運用上の手間を削減することの可能な電話システムとそのアドレス割り当てサーバ、電話端末、および設定方法を提供することにある。
【課題を解決するための手段】
【０００９】
実施形態によれば、電話システムは、サーバユニットと、電話端末と、アドレス割り当てサーバとを具備する。サーバユニットは、電話端末からの接続要求を処理する接続処理部と、接続要求元の電話端末に与えられた識別情報に対応する設定情報を当該接続要求元の電話端末に送信する送信部とを備える。アドレス割り当てサーバは、複数の電話端末を組み分けしたグループごとに、接続すべきサーバユニットのアドレス情報を対応付けたグループデータと、割り当て要求の送出元の電話端末にグループデータを返送する送信部とを備える。電話端末は、返送されたグループデータから自らに対応するグループおよび接続すべきサーバユニットのアドレス情報を抽出する抽出部と、抽出した情報を記憶する記憶部と、サーバユニットに接続を要求して設定情報を取得する要求部とを備える。
【図面の簡単な説明】
【００１０】
【図１】第１の実施形態の電話システムの一例を示すシステム図である。
【図２】図１に示されるＤＨＣＰサーバ１００の一例を示す機能ブロック図である。
【図３】ＤＨＣＰオプションデータベース１０３ａの内容の一例を示す図である。
【図４】グループデータ１０３ｂの一例を示す図である。
【図５】図１に示されるＩＰ電話端末ＩＰＴの一例を示す機能ブロック図である。
【図６】図５に示されるＩＰ電話端末ＩＰＴの一例を示す外観図である。
【図７】図１に示されるＩＰ交換機４０１，４０２の一例を示す機能ブロック図である。
【図８】第１の実施形態における処理手順を示すシーケンス図である。
【図９】ＤＮ設定データ４４ｃの一例を示す図である。
【図１０】第２の実施形態の電話システムの一例を示すシステム図である。
【図１１】第２の実施形態における処理手順を示すシーケンス図である。
【図１２】ＩＰ電話端末を別のネットワーク環境に移動したときの処理手順を示すフローチャートである。
【発明を実施するための形態】
【００１１】
［第１の実施形態］
図１は、第１の実施形態の電話システムの一例を示すシステム図である。第１の実施形態ではVirtual（ＶＬＡＮ）設定の無いシステムを想定する。図１に示されるシステムは複数のＩＰ電話端末（以下、ＩＰＴと表記する）を備える。ＩＰＴは２つのグループに分けられ、それぞれどちらかのグループに属する。ＩＰＴ（ＤＮ１０００）およびＩＰＴ（ＤＮ１０５０）はグループ１（Phone Group 1）に属し、ＩＰＴ（ＤＮ１０５１）およびＩＰＴ（ＤＮ１２００）はグループ２（Phone Group 2）に属する。ＶＬＡＮの設定無しにＩＰＴをグループ分けすることは不自然ではなく、例えば同じテナントの部署ごとに内線電話機をグループ化するケースがこれに相当する。
【００１２】
ＩＰＴのグループ分けに関する情報はDynamic Host Configuration Protocol（ＤＨＣＰ）サーバ１００に記憶され、ログイン時にＩＰＴごとに提供される。これはＲＦＣ（Request for Comment）２１３２に標準化されるベンダオプション（Vender Option）の一つの利用形態である。
【００１３】
ＩＰＴ（ＤＮ１０００）およびＩＰＴ（ＤＮ１０５０）はハブ（ＨＵＢ）２０１に接続され、ＩＰＴ（ＤＮ１０５１）およびＩＰＴ（ＤＮ１２００）はハブ２０２に接続される。ハブ２０１，２０２はルータ３００に接続される。ハブ２０１には実施形態のＩＰ交換機４０１が接続され、ハブ２０２にはＩＰ交換機４０２が接続される。
【００１４】
図２は、図１に示されるＤＨＣＰサーバ１００の一例を示す機能ブロック図である。ＤＨＣＰサーバ１００は、ハブ２０１に接続されるインタフェース部（ＬＡＮ／ＩＦ）１０１、主制御部１０２、および記憶部１０３を備える。このうち記憶部１０３はＤＨＣＰオプションデータベース１０３ａ、およびグループデータ１０３ｂを記憶する。
【００１５】
図３は、ＤＨＣＰオプションデータベース１０３ａの内容の一例を示す図である。図３にはＤＨＣＰサーバ１００に設定されるベンダオプションＩＤ（Vendor Option ID）の設定例が示される。  
図３において、DHCP Option IDには、Vendor Class Identifier、Phone Group of DN、Server IP Address for Phone Group、VLAN Enable/Disable for Phone Group、Phone VLAN ID for Phone Group、PC Port Type for Phone Group、および、PC Port VLAN ID for Phone Group、の７個の項目がある。各項目にはそれぞれ例えば１６進数表記で0x01、0x02、0x03、0x04、0x05、0x06、および、0x07の識別子が与えられており、これらはType として総括される。
【００１６】
Vendor Class Identifier（0x01）は、ベンダの属性（クラス）を示す項目である。Phone Group of DN（0x02）は、ＤＮごとに所属するグループを示す。Server IP Address for Phone Group（0x03）は、グループに属する端末が接続先とするＩＰ交換機のＩＰアドレスを示す。
【００１７】
VLAN Enable/Disable for Phone Group（0x04）は、グループごとのＶＬＡＮの有無を示す。Phone VLAN ID for Phone Group（0x05）は、各グループの Phone VLAN ID（Phone Group 1、Phone Group 2 など）を示す。IDは識別子である。PC Port Type for Phone Group（0x06）は、各グループのPC Port Typeを示す。PC Port VLAN ID for Phone Group（0x07）は、各グループのPC Port VLAN IDを示す。
【００１８】
図４は、グループデータ１０３ｂの一例を示す図である。図４は、図３のDHCP Option IDに設定されるグループデータの設定例を示す。図４においてはそれぞれ１，２，３のグループＩＤを与えられる３つのグループが示される。項目ＤＮは図３のPhone Group of DNに対応し、その内容は各グループに属するＤＮの値、またはＤＮの範囲を示す。図４によれば例えばＤＮが１０００から１２００の範囲のＩＰ電話端末はグループ１に属することが設定されている。
【００１９】
項目Server IP Addressは各グループに属するＩＰ電話端末が接続先とするＩＰ交換機のＩＰアドレスを示す。項目VLANは、グループごとのＶＬＡＮ設定の有／無（Enable / Disable）を示す。項目VLAN IDはグループのPhone VLAN IDを示し、つまりグループの識別子である。ＶＬＡＮ設定の無いグループについてはこの項目はブランクである。
【００２０】
項目PC Port Typeは、グループのPC Port Type（Trunk/Access）を示す。項目PC Port VLAN IDは、グループのPC Port VLAN IDを示す。  
図２に戻り、ＤＨＣＰサーバ１００の主制御部１０２は、実施形態に係る処理機能として送信部１０２ａを備える。送信部１０２ａは、グループデータの割り当てを要求した電話端末に、グループデータ１０３ｂを返送する。
【００２１】
図５は、図１に示されるＩＰ電話端末ＩＰＴの一例を示す機能ブロック図である。ＩＰ電話端末ＩＰＴは、表示器４０、インタフェース部４１、制御部４２、キーパッド部４３、および、メモリ４４を備える。表示器４０はキャラクタデータなどの各種の情報を表示するユーザインタフェースである。インタフェース部４１はＬＡＮケーブルなどを介してハブ２０１に接続される。キーパッド部４３は数字キーなどを備えるユーザインタフェースである。
【００２２】
制御部４２は例えばCentral Processing Unit（ＣＰＵ）であり、メモリ４４に記憶されたプログラムの命令列に従う演算処理を実行して、実施形態に係わる機能を実現する。制御部４２はその機能として、ログイン処理部４２ａ、受信部４２ｂ、抽出部４２ｃ、および、比較部４２ｄを備える。
【００２３】
ログイン処理部４２ａは、識別情報としてのＤＮの入力を含む、ユーザのログイン操作を受け付ける。受信部４２ｂは、接続先のＩＰ交換機からオートコンフィグ機能により送信されたＤＮ設定データを受信する。受信されたＤＮ設定データはメモリ４４にＤＮ設定データ４４ｃとして記憶される。
【００２４】
抽出部４２ｃは、ＤＨＣＰサーバ１００から受信したグループデータ１０３ｂから、自端末のＤＮに対応するグループ、および接続すべきＩＰ交換機のアドレス情報を抽出する。比較部４２ｄは、自端末が保存しているＤＮ設定データとＩＰ交換機からダウンロードしたＤＮ設定データとを比較する。比較の結果両者が異なっていれば、ＩＰ電話端末はダウンロードしたＤＮ］設定データをメモリ４４に記憶する。
【００２５】
メモリ４４はFlash-ROMなどの半導体メモリであり、ＤＮ４４ａ、ＤＮ設定データ４４ｃに加えてグループ固有データ４４ｂを記憶する。
【００２６】
図６は、図５に示されるＩＰ電話端末ＩＰＴの一例を示す外観図である。ＩＰ電話端末ＩＰＴの前面パネル部にはLiquid Crystal Display（ＬＣＤ）などの表示器２０１が配置される。表示器２０１の下方パネル部には数字キーやファンクションキーなどを備えるキーマトリクス、すなわちキーパッド部２０４が配設される。ＩＰ電話端末ＩＰＴの前面パネル部の図中左側には、スピーカ、マイクを備えるハンドセット１３が配設される。
【００２７】
図７は、図１に示されるＩＰ交換機４０１，４０２の一例を示す機能ブロック図である。ＩＰ交換機４０１，４０２は、ＬＡＮインタフェース（ＬＡＮ Ｉ／Ｆ）５１、データベース部５２、および、主制御部５３を備える。ＬＡＮインタフェース５１はＬＡＮケーブルなどを介してハブ２０１に接続される。
【００２８】
データベース部５２は例えばハードディスクドライブなどの記憶デバイスであり、ＤＮ設定データ５２ａを記憶する。このＤＮ設定データ５２ａはＩＰ電話端末ＩＰＴごとに用意されており、オートコンフィグ手順において、要求元のＩＰ電話端末に向け送信される。
【００２９】
主制御部５３は例えばＣＰＵであり、ＩＰ電話端末からのログイン要求の受け付け、認証、あるいはＩＰ電話端末間におけるセッションの形成、種々の呼制御などの既知の処理機能に加え、実施形態に係る制御機能として送信部５３ａを備える。送信部５３ａは、ＤＮ設定データをログイン元のＩＰ電話機に送信する。すなわち送信部５３ａは、ログイン処理で与えられたＤＮに対応するＤＮ設定データを、ログイン元のＩＰ電話端末に返送する。次に、上記構成における作用を説明する。
【００３０】
図８は、第１の実施形態における処理手順を示すシーケンス図である。図８はＶＬＡＮ設定の無い状態での、ＤＨＣＰサーバ１００、ＩＰ交換機４０１およびＩＰＴ（ＤＮ＝１０００）の、例えばシステムの工場出荷状態からのシーケンスを示す。  
図８において、電源がオンされたＩＰＴは手順（１）において、工場出荷設定のもとでＤＮ入力画面を表示器に表示し、ユーザのログイン操作を促す。ＤＮ１０００が入力されると、ＩＰＴは手順（２）で、Ｄｉｓｃｏｖｅｒ／Ｒｅｑｕｅｓｔをネットワークに向け送信し、ＤＨＣＰサーバからの応答を待つ。
【００３１】
この要求を受けたＤＨＣＰサーバ１００は、手順（３）で、要求元のＩＰＴに割り当てるためのＩＰアドレスに加えて、図４に対応するグループ設定データを含む応答（DHCP Offer）を返送する。この応答には、全てのグループ１，２，３についての項目（0x02）、項目（0x03）、項目（0x04）、項目（0x05）、項目（0x06）、および項目（0x07）の設定内容が含まれる。つまりＤＨＣＰサーバ１００は、自らが記憶しているグループデータ１０３ｂの内容を一括してＩＰＴに返送する。
【００３２】
これを受けたＩＰＴは、手順（４）で、ＤＨＣＰサーバ１００から返送されたグループ設定データの中から、ＤＮ１０００である自らが所属するグループと、そのグループのサーバＩＰアドレスと、ＶＬＡＮ関連の設定とを抽出する。ここでは［所属グループＩＤ＝１］、［サーバＩＰアドレス＝（192.168.254.1）］、および［VLAN=Disable］が抽出される。すなわち要求元のＩＰＴのＤＮが１０００であるので、図４によればこのＩＰＴはグループ１に属し、そのサーバＩＰアドレスは（192.168.254.1）であり、ＶＬＡＮ設定は無い。ＩＰＴは、抽出したこれらのデータをグループ固有データ４４ｂとしてメモリ４４に記憶する。
【００３３】
次にＩＰ電話端末は、手順（５）において、保存した接続先のＩＰ交換機４０１（ＩＰアドレス＝192.168.254.1）に対して、入力ＤＮ（ＤＮ＝１０００）を接続するための登録シーケンスを開始する。
【００３４】
ＩＰ電話端末の接続が完了するとＩＰ交換機４０１は、手順（６）で接続元のＩＰ電話端末にＤＮ設定データをダウンロードする。  
図９は、ＤＮ設定データ４４ｃの一例を示す図である。このＤＮ設定データ４４ｃは個々のＩＰ電話端末の設定に関するデータである。各項目は以下の内容を示す。  
Station ID ：DN番号
Server Discovery Mode：交換機を探すときのモード（Broad Cast/Unicast）
Primary Server Address：プライマリサーバのIPアドレス
Secondary Server Address：セカンダリサーバのIPアドレス
プライマリサーバは、このＤＮのＩＰ電話端末が優先的にアクセスするＩＰ交換機を意味する。セカンダリサーバは、このＤＮのＩＰ電話端末がプライマリサーバの予備系としてアクセスするＩＰ交換機を意味する。セカンダリサーバは装置障害、回線障害などでプライマリサーバへのアクセスが不能となった場合に、第２優先の接続先としてアクセスされる。この種の設定はサバイバビリティと称される。
【００３５】
次にＩＰ電話端末は、手順（７）で、ＤＨＣＰサーバから抽出したＩＰ交換機のＩＰアドレスとＩＰ交換機４０１からダウンロードされたプライマリサーバのＩＰアドレスを比較する。これらのＩＰアドレスが異なっている場合は、ダウンロードされたＤＮ設定データ４４ｃを保存し、プライマリサーバに接続するために手順（５）以降のシーケンスを繰り返す。両ＩＰアドレスが同じであれば、ＩＰ電話端末はダウンロードされたＤＮ設定データ４４ｃを保存し、登録完了となり、ＩＰ電話端末が使用可能となる。
【００３６】
以上のように第１の実施形態では、ＤＨＣＰサーバ１００は、ＩＰ電話端末ＩＰＴからのＩＰアドレス取得要求に応じてＩＰアドレスを割り当てる。また、ＤＨＣＰのベンダオプションを使用して設定される、ＩＰ交換機４０１，４０２に接続されるすべてのＤＮの所属グループ、各グループが接続するＩＰ交換機のＩＰアドレス、ＶＬＡＮ  ＩＤの使用有無、ＶＬＡＮ  ＩＤ等のＶＬＡＮ設定（グループは複数設定可能）がグループ設定データとしてＩＰ電話端末に通知される。
【００３７】
ＩＰ電話端末は、ＤＨＣＰサーバ１００から通知されるグループ設定データから自端末ＤＮの所属グループを抽出し、さらに、自端末のグループ代表ＩＰ交換機のＩＰアドレス、ＶＬＡＮ関連設定を抽出してメモリ４４に保持する。また、ＩＰ交換機４０１からダウンロードされるＩＰ電話端末のＤＮ設定データ４４ｃを保持する。さらに、ＩＰ交換機４０１は、保持している接続したＩＰ電話端末のＤＮ設定データを通知する。
【００３８】
［第２の実施形態］
図１０は、第２の実施形態の電話システムの一例を示すシステム図である。第２の実施形態ではＶＬＡＮの設定が有るケースを想定する。ＶＬＡＮとは、ＬＡＮの物理的な接続形態とは独立して形成される、仮想的な専用網である。それぞれの専用網に属する端末はグループを形成し、異なるグループに属する端末同士の内線通話は、基本的には許可されない（外線通話は可能である）。各端末は、ＭＡＣ（Media access control）アドレスやＩＰアドレス、利用するプロトコルなどに応じてグループ化される。ＶＬＡＮは、ＬＡＮスイッチなどの機能を利用して論理的に形成されるネットワークである。
【００３９】
図１０において、３つのネットワークがルータ３０１を介して接続される。各ネットワークはＩＰ電話端末の組み分け（グループ化）に対応し、各グループをPhone Group 1、Phone Group 2、Phone Group 3と表記する。このうちPhone Group 2、Phone Group 3のネットワークにＶＬＡＮの設定がなされており、それぞれのＶＬＡＮの識別子を（ＶＬＡＮ  ＩＤ：１００）、（ＶＬＡＮ  ＩＤ：２００）として区別する。Phone Group 1のネットワークにはＶＬＡＮの設定がなされておらず、（ＶＬＡＮ無し）と表記する。いずれのネットワークも、ＤＨＣＰサーバ、ＩＰ電話端末、ＩＰ交換機を備える。
【００４０】
ＶＬＡＮ無しのネットワークに接続されているＤＨＣＰサーバ１００は、ＶＬＡＮ無しのＩＰ電話端末にＩＰアドレスを割り当てると共に、グループ設定データとして、ＩＰ交換機に接続されるすべてのＤＮの所属グループ、各グループが接続するＩＰ交換機のＩＰアドレスとＶＬＡＮ  ＩＤの使用有無やＶＬＡＮ  ＩＤ等のＶＬＡＮ設定（グループは複数設定可能）がＤＨＣＰのベンダオプション（ＲＦＣ２１３２で規定）を使用して設定されており、ＩＰ電話端末に通知する。
【００４１】
ＶＬＡＮ  ＩＤ＝１００、ＶＬＡＮ  ＩＤ＝２００のネットワークに接続されているＤＨＣＰサーバ１０１，１０２はＩＰ電話端末のＩＰアドレスを割り当てるためのみに使用され、グループ設定データは有していない。
【００４２】
ＩＰ電話端末は、ＶＬＡＮ無しのネットワークに接続されているＤＨＣＰサーバ１００から通知されるグループ設定データから自端末ＤＮの所属グループを抽出し、さらに、自端末のグループのＩＰ交換機のＩＰアドレス、ＶＬＡＮ関連設定を抽出し、メモリ４４に記憶する。またＩＰ電話端末は、接続したＩＰ交換機からダウンロードしたＤＮ設定データ４４ｃをメモリ４４に保持する。
【００４３】
ＩＰ交換機４０１，４０２，４０３は、それぞれＤＮ設定データを予め記憶する。そして、ＩＰ交換機４０１，４０２，４０３は、ＩＰ電話端末から通知されたＤＮに対応するＤＮ設定データを、通知元のＩＰ電話端末に返送する。
【００４４】
図１１は、第２の実施形態における処理手順を示すシーケンス図である。図１１のシーケンスは以下の（１）〜（１０）の手順を含む。  
（１）  ＩＰ電話端末は、立ち上げ後、工場出荷状態であれば、内線番号（以降：ＤＮ）入力画面になり、ＤＮ＝１２０１を入力する。  
（２）ＤＮ入力後、ＩＰ電話端末はＶＬＡＮ無のネットワークに接続されているＤＨＣＰサーバ１００にＤＨＣＰ  Ｄｉｓｃｏｖｅｒ／Ｒｅｑｕｅｓｔを送信する。  
（３）応答したＤＨＣＰサーバ１００は、割り当てたＩＰ電話端末のＩＰアドレスと、図３のようなＯｐｔｉｏｎ  ＩＤで、図４のようにグループ設定データを含むＤＨＣＰ  ＯｆｆｅｒをＩＰ電話端末に送信する。
【００４５】
（４）ＩＰ電話端末は、ＤＨＣＰサーバ１００から受信したグループ設定データの中から、ＤＮ１２０１が所属するグループを抽出し（所属グループＩＤ＝２）、さらに抽出したグループ（所属グループＩＤ＝２）のServer  ＩＰアドレス、ＶＬＡＮ関連の設定を抽出（ＩＰ交換機のＩＰアドレス＝192.168.254.100  ＶＬＡＮ＝Enable，  ＶＬＡＮ  ＩＤ＝１００、PC Port Type =Trunk、PC VLAN ID=102）し、抽出したデータ（所属グループＩＤ＝２，  ＩＰ交換機のＩＰアドレス＝192.168.254.100 VLAN=Enable VLAN ID=10０、PC Port Type =Trunk、PC VLAN ID=102）を保存する。  
（５）保存後、ＶＬＡＮがＥｎａｂｌｅとチェックされ、ＩＰ電話端末のＩＰアドレスを返却し、保存されたＶＬＡＮ  ＩＤのタグを付与してＶＬＡＮ有のネットワークに接続されているＤＨＣＰサーバ１０１にＤＨＣＰ  Ｄｉｓｃｏｖｅｒ／Ｒｅｑｕｅｓｔを送信する。  
（６）応答したＤＨＣＰサーバ１０１は、ＩＰ電話端末に割り当てるＩＰアドレスを送信する。  
（７）ＩＰ電話端末は、ＤＨＣＰサーバ１０１から割り当てられた自身のＩＰアドレスを保存する。  
（８）保存後、ＩＰ電話端末は、保存した接続先のＩＰ交換機（ＩＰアドレス＝192.168.254.100）に対して、入力ＤＮ（＝１２０１）を接続するための登録シーケンスが開始する。  
（９）ＩＰ交換機は、ＩＰ電話端末の登録が完了すると、ＩＰ交換機に設定されているＩＰ電話端末（ＤＮ＝１２０１）のＤＮ設定データをＩＰ電話端末にダウンロードする。
【００４６】
（１０）ＩＰ電話端末は、ＤＨＣＰサーバから抽出したＩＰ交換機のＩＰアドレスとＩＰ交換機からダウンロードされたプライマリサーバのＩＰアドレスを比較する。異なっている場合は、ダウンロードされたＤＮ設定データを保存し、プライマリサーバに接続するために（８）以降のシーケンスをやり直す。同じ場合は、ダウンロードされたＤＮ設定データを保存し、登録完了となり、ＩＰ電話端末が使用可能となる。
【００４７】
図１２は、ＩＰ電話端末を別のネットワーク環境に移動したときの処理手順を示すフローチャートである。このフローチャートは以下のブロックＢ１〜ブロックＢ８の手順を含む。  
ＩＰ電話端末は、起動後、保持しているＩＰ交換機のＩＰアドレスに対して、自端末が保持しているＤＮを接続するための登録シーケンスを開始する。（ブロックＢ１）。ＩＰ電話端末は、ＩＰ交換機から応答があったかどうかを判断し、応答が有った場合、登録処理を開始し、登録完了後は、ブロックＢ７を実施する。応答が無かった場合、ブロックＢ３を実施する（ブロックＢ２）。
【００４８】
ＩＰ電話端末は、ＶＬＡＮ無しのＤＨＣＰサーバから、再度、グループ設定データを取得する（ブロックＢ３）。ＩＰ電話端末は、グループ設定データから自端末が保持しているＤＮが属しているグループデータを再抽出し、ＩＰ電話端末に保存してあるグループデータと比較する。比較した結果、データが異なっていれば、ブロックＢ５に進む。比較した結果、データが同じであれば、ブロックＢ６に進む（ブロックＢ４）。
【００４９】
ＩＰ電話端末は、再抽出したデータを保存する（ブロックＢ５）。ＩＰ電話端末は、再度、保持したＩＰ交換機のＩＰアドレスに対して、自端末が保持しているＤＮを接続するための登録シーケンスを開始する（ブロックＢ６）。
【００５０】
ＩＰ交換機は、接続完了後、ＩＰ交換機に設定されているＩＰ電話端末のＤＮ設定データをＩＰ電話端末に送る。すなわちＩＰ交換機にプールされているＤＮ設定データがＩＰ電話端末にダウンロードされる（ブロックＢ７）。
【００５１】
ＩＰ電話端末は、自端末が保存しているＤＮ設定データとＩＰ交換機からダウンロードされたＤＮ設定データの比較を行う。ＤＮ設定データが、異なっている場合は、ダウンロードされたＤＮ設定データを保存し、設定したプライマリサーバに接続するためにブロックＢ５に戻る。ＤＮ設定データが、同じ場合は、接続完了となり、ＩＰ電話端末が使用可能となる（ブロックＢ８）。
【００５２】
以上説明したように実施形態によれば、以下の効果を得ることができる。  
１）ネットワークの構成変更やＩＰ電話端末を他のネットワークに移動した時に、ＩＰ電話端末のデータ変更が必要になるが、ＤＨＣＰサーバから自分が属するグループのＩＰ交換機のＩＰアドレスやＶＬＡＮ設定を再取得し、ＩＰ電話端末が保持しているデータと比較することにより、自動で構成変更を判断し、ＩＰ電話端末の設定を自動で変更を行い、ＩＰ交換機に接続することができる。
【００５３】
２）ユーザは、構成変更時、ＩＰ電話端末を初期化する等の構成変更を意識する必要がない。  
３）手順を間違えて、構成変更前のＩＰ交換機に接続できなくなり、ＩＰ電話端末を初期リセットしなければ再接続できないような状況を回避できる。
【００５４】
すなわち実施形態では、ＤＨＣＰサーバのベンダオプション（Vendor Option）に、各ＩＰ電話端末が所属するグループ番号と、そのグループに所属するＩＰ電話端末が接続するＩＰ交換機のＩＰアドレスとＶＬＡＮ設定を記載したグループ設定データを設定しておく。ＩＰ電話端末は、ＤＨＣＰサーバから取得したグループ設定データから、自端末のＤＮが所属するグループのグループ設定データを抽出し、そのグループ設定データに従ってＩＰ交換機に接続する。これにより工場出荷状態時に、自動でネットワーク構成を設定できる。
【００５５】
構成変更やネットワーク構成変更により自端末が所属するグループの設定データに、変更が生じた場合、ＩＰ電話端末が、ＩＰ交換機との接続断を契機にＤＨＣＰサーバから、グループ設定データを再取得し、自端末のＤＮが所属するグループと、そのグループの設定データを再抽出し、再抽出した変更後のＩＰ交換機に自動で再接続するようにしている。これにより構成変更やＩＰ電話端末を別のネットワークに移動しても、自動で設定を変更することができる。ユーザは構成変更やネットワーク変更の手順を意識する必要が無い。
【００５６】
これらのことから、自動設定機能をネットワーク環境の変化によらず正しく機能させることが可能になり、運用上の手間を削減することの可能な電話システムとそのアドレス割り当てサーバ、電話端末、および設定方法を提供することが可能となる。また、以下のような効果も得られる。
【００５７】
既存の技術では、ＤＮ設定データをサーバからＩＰ電話端末にダウンロードするのに先立ち、どのサーバに接続すべきかをＩＰ電話端末に通知する必要がある。接続すべきサーバへのＩＰアドレスは、ＩＰ電話端末へのＩＰアドレスの割り当てに伴ってＤＨＣＰサーバから通知されようになっている。このためＩＰ電話端末ごとにＤＨＣＰサーバのＩＰアドレスを設定する必要があり、端末の数が多ければ多いほど設定作業は面倒になり、時間がかかるばかりか作業負荷に伴う人的コストも増大する。実施形態によればこれを解決できる。
【００５８】
ＶＬＡＮは物理的には単一のネットワークを、セキュリティを確保しつつ複数のネットワークに論理的に分割するといったケースに利用される。例えばビル内の共通ネットワークを異なるテナント同士で共有するケースがこれに当てはまる。セキュリティの面からＤＨＣＰサーバはＶＬＡＮごとに設ける必要がある。特に、複数のＶＬＡＮを備える環境にあってはＶＬＡＮごとにＤＨＣＰサーバを設置する必要があるので作業量は倍増する。実施形態によればこれを解決できる。
【００５９】
また、ＤＮ設定データをプールするFile Transfer Protocol（ＦＴＰ）サーバも同様に、テナントすなわちＶＬＡＮごとに設置しなくてはならない。よってコストが嵩むばかりか、ＤＨＣＰサーバごとにＦＴＰサーバのアドレスを設定する必要があるのでユーザの作業負荷は膨大なものになる。実施形態によればこれを解決できる。
【００６０】
なお、本発明は上記実施形態そのままに限定されるものではなく、実施段階ではその要旨を逸脱しない範囲で構成要素を変形して具体化できる。例えばグループデータ１０３ｂを記憶させるのはＤＨＣＰサーバに限らず、同等の機能を有する機器（例えばルータ）であれば良い。またＩＰ電話端末は、通話ソフトウェアをインストールしたコンピュータやスマートフォンなどであってもよい。
【００６１】
また本発明は、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００６２】
ＩＰＴ…ＩＰ電話端末、１００…ＤＨＣＰサーバ、０１，２０２…ハブ、３００，３０１…ルータ、４０１，４０２…ＩＰ交換機、１０１…インタフェース部（ＬＡＮ／ＩＦ）、１０２…主制御部、１０３…記憶部、１０３ａ…ＤＨＣＰオプションデータベース、１０３ｂ…グループデータ、１０２ａ…送信部、４０…表示器、４１…インタフェース部、４２…制御部、４３…キーパッド部、４４…メモリ、４２ａ…ログイン処理部、４２ｂ…受信部、４２ｃ…抽出部、４２ｄ…比較部、４４ａ…ＤＮ、４４ｂ…グループ固有データ、４４ｃ…ＤＮ設定データ、５１…ＬＡＮインタフェース、５２…データベース部、５２ａ…ＤＮ設定データ、５３…主制御部、５３ａ…送信部、２０１…表示器、２０４…キーパッド部、１３…ハンドセット
【図１】
2013135380.tif 000003
【図２】
2013135380.tif 000004
【図３】
2013135380.tif 000005
【図４】
2013135380.tif 000006
【図５】
2013135380.tif 000007
【図６】
2013135380.tif 000008
【図７】
2013135380.tif 000009
【図８】
2013135380.tif 000010
【図９】
2013135380.tif 000011
【図１０】
2013135380.tif 000012
【図１１】
2013135380.tif 000013
【図１２】
2013135380.tif 000014